(57)【要約】【課題】安価に外部照明ライトを保護できる林業機械を提供すること。【解決手段】特に、林業機械に関し、キャビンと、該キャビンの前方の窓部分を保護するガード部材と、該ガード部材の上部に搭載される外部照明ライトと、該外部照明ライトを保護するカバー部材と、を備えた。また、角度調整機構を備え、該角度調整機構によって、前記カバー部材は前記外部照明ライトと一体的に回動する構成とした。さらに、前記カバー部材の回動範囲を規制する回動規制部材を備え、該回動規制部材は、前記カバー部材を下方に回動した場合に、前記カバー部材と当接する構成とした。【選択図】図１
2015159746.tif 000002
【特許請求の範囲】
【請求項１】
キャビンと、
該キャビンの前方の窓部分を保護するガード部材と、
該ガード部材の上部に搭載される外部照明ライトと、
該外部照明ライトを保護するカバー部材と、
を備えた林業機械。
【請求項２】
前記カバー部材の角度を調整する角度調整機構を備え、
該角度調整機構によって、前記カバー部材は前記外部照明ライトと一体的に回動する、
請求項１に記載の林業機械。
【請求項３】
前記カバー部材の回動範囲を規制する回動規制部材を備え、
該回動規制部材は、前記カバー部材を下方に回動した場合に、前記カバー部材と当接する、請求項１又は２に記載の林業機械。
【発明の詳細な説明】
【技術分野】
【０００１】
本開示は、外部照明ライトを備える林業機械に関する。
【背景技術】
【０００２】
外部照明ライトがキャビンの上部前方に搭載されている建設機械が知られている（例えば、特許文献１参照）。特許文献１に開示されている建設機械には、雨水から外部照明ライトを保護するために、ライト保護部材が備えられている。これによって、雨水の侵入を阻止し耐水性能を確保している。
【先行技術文献】
【特許文献】
【０００３】
【特許文献１】特開２００４−１１４８５０号公報
【発明の概要】
【発明が解決しようとする課題】
【０００４】
しかしながら、上記構成の建設機械を、林業用の建設機械（以下、「林業機械」という）に適用した場合には問題が生じ得る。即ち、特許文献１に開示された構成では、外部照明ライトを雨水から保護することができたとしても、原木や枝等が落下してきた場合には、その衝突により、外部照明ライトが破損する虞がある。
【０００５】
なお、ショベル等の建設機械には、解体部材や砕石等の落下物による衝突を保護するため、キャビンの前方に保護部材（ガード部材）が設けられている。ところが、一般的に、ガード部材は、フロントガラスを覆うことのできる高さに設定されている。そのため、ガード部材の高さを高くしなければ、キャビンの上部前方に搭載された外部照明ライトを落下物から保護することはできない。また、林業機械において、ガード部材の高さを高くするためには、部材コストが上昇することが懸念される。
【０００６】
上述の点に鑑み、安価に外部照明ライトを保護できる林業機械を提供することが望ましい。
【課題を解決するための手段】
【０００７】
本開示の一局面によれば、キャビンと、該キャビンの前方の窓部分を保護するガード部材と、該ガード部材の上部に搭載される外部照明ライトと、該外部照明ライトを保護するカバー部材と、を備えた林業機械が提供される。
【発明の効果】
【０００８】
本開示によれば、安価に外部照明ライトを保護できる林業機械を提供することができる。
【図面の簡単な説明】
【０００９】
【図１】一実施形態に係る林業機械を示す側面図である。
【図２】図１の林業機械に搭載される外部照明装置近傍の拡大図である。
【図３】図１の林業機械に搭載される外部照明装置の回動規制を説明する図である。
【図４】図３のＡ部拡大図である。
【発明を実施するための形態】
【００１０】
以下、添付図面を参照しながら実施例について詳細に説明する。なお、各図面において、同一構成部分には同一符号を付し、重複した説明を省略する場合がある。
【００１１】
図１は、一実施形態に係る林業機械を示す側面図である。本実施形態に係る林業機械の構成について図面を参照しながら説明する。
【００１２】
図１に示す林業機械の下部走行体１には、旋回機構２を介して上部旋回体３が搭載されている。上部旋回体３には、ブーム４が取り付けられている。ブーム４の先端に、アーム５が取り付けられ、アーム５の先端にハーベスタリンク６が取り付けられている。ブーム４，アーム５及びハーベスタリンク６は、ブームシリンダ７、アームシリンダ８、及びはハーベスタリンクシリンダ９によりそれぞれ油圧駆動される。ハーベスタリンク６の先端には、ハーベスタ装置１００が取り付けられている。上部旋回体３には、キャビン１０が設けられ、且つエンジン１１等の動力源が搭載される。キャビン１０には運転席が設けられており、作業者は運転席に着座しながら林業機械を操作する。キャビン１０の前方には、ガード部材１８２が窓部分（フロントガラス）を覆うように取り付けられている。ガード部材１８２は開閉可能であり、原木、枝等の落下物から作業者を保護するために、造材作業中、ガード部材１８２は閉じられる。ワイパー（不図示）は、前方のフロントガラスに取り付けられている。ワイパーは、該フロントガラスの外面上で往復運動することによって、窓部の外面に付着する雨滴や汚れを拭い取る。なお、ガード部材１８２の上部には、後述する外部照明装置１８０が搭載されている。
【００１３】
次に、本実施形態に係る外部照明装置１８０の構成について、図面を参照しながら説明する。図２は、一実施形態に係る林業機械に搭載される外部照明装置１８０近傍の拡大図である。
【００１４】
林業機械は、一般的に、夜間や天候が悪い暗所でも作業者の視界が確保されるように、キャビン１０の外部に作業現場の周囲を照らす外部照明ライトが備えられている。
【００１５】
外部照明ライトは、図示しない蓄電池から電力供給を受けることによって点灯する。蓄電池からの電力供給は、例えば、林業機械の制御を行うコントローラから外部照明ライトに電気信号が入力されることによって点灯する。
【００１６】
本実施形態に係る林業機械には、外部照明ライト１８１を含む外部照明装置１８０が搭載されている。
【００１７】
具体的には、図２に示すように、外部照明装置１８０は、外部照明ライト１８１と、該外部照明ライト１８１保護用のカバー部材１８３と、ブラケット１８５と、を含んで構成される。カバー部材１８３は、原木、枝等の落下物から外部照明ライト１８１の前面、上面及び左右の側面を保護するように、前方部１８３ａと、上方部と１８３ｂと、左右の側方部１８３ｃとを有する４面、の断面が略コの字形状に形成されている。カバー部材１８３の前方部１８３ａは、外部照明ライト１８１の照明を遮らないように開口部１８３ｄが形成されている。そして、その開口部１８３ｄは、一定の間隔に配列されている格子１８３ｅによって仕切られている。格子１８３ｅは、原木、枝等の衝突から外部照明ライト１８１のレンズの破損を防止するために設けられている。なお、格子１８３ｅは、外部照明ライト１８１の照明度の低下により作業者の視界に影響を及ぼさない間隔に配列される。
【００１８】
カバー部材１８３のコの字形状の幅は、外部照明ライト１８１を覆うことが可能な幅に形成されており、外部照明ライト１８１の前面、上面及び左右の側面が覆われるように、カバー部材１８３のコの字形状部分に外部照明ライト１８１を収納する。収納は、カバー部材１８３の左右の側方部１８３ｃに形成されている孔（不図示）の位置を、外部照明ライト１８１の両側面に形成されているねじ穴（不図示）の位置に合わせることによって行う。そして、ねじ穴にねじ１８４を螺合させることによって、外部照明ライト１８１をカバー部材１８３に固定する。これによって、原木、枝等の落下物の衝突から外部照明ライト１８１を適切に保護することが可能となる。
【００１９】
さらに、外部照明装置１８０は、上下方向に角度を調整することが可能な角度調整機構を有する。図２及び図３に示すように、角度調整機構は、Ｕ字形状のブラケット１８５と、固定ねじ１８６と、を備える。カバー部材１８３を回動させることで外部照明ライト１８１を上下方向に一体的に回動させることが可能であり、所望の角度に外部照明ライト１８１の向きを調整することができるように構成されている。
【００２０】
具体的には、左右の側方部１８３ｃは、Ｕ字形状のブラケット１８５の支持部１８５ａの端部と固定ねじ１８６（２箇所）によって連結されている。より詳細には、支持部１８５ａの端部に形成されている孔（不図示）と、カバー部材１８３の側方部１８３ｃに形成されているねじ穴（不図示）の位置を合わせる。次いで、該孔を介して固定ねじ１８６をねじ穴に螺合させて、カバー部材１８３をブラケット１８５と固定する。両側の固定ねじ１８６を緩めると、支持部１８５ａの端部を支点として、外部照明ライト１８１が上下方向に回動して、外部照明ライト１８１の角度（変位）を調整することが可能となる。そして、作業者が、外部照明ライト１８１の向きを所望の向きに調整した後に、固定ねじ１８６を締め、その向きに外部照明ライト１８１を固定する。
【００２１】
そして、外部照明装置１８０を、キャビン１０前方のフロントガラスを保護しているガード部材１８２の上部に突出して搭載する。ガード部材１８２及びカバー部材１８３は、原木、枝等の落下物のガードとして機能するための耐久性を有する。
【００２２】
外部照明装置１８０は取付個数に限定はないが、例えば、ガード部材１８２の両端に各１個、計２個が搭載される。外部照明装置１８０は以上のように構成され、林業機械等建設機械のキャビン１０の前方に既設されているガード部材１８２に搭載することができる。これによって、従来技術のようにガード部材１８２高さを高くして専用品にする必要はなく、上述のような簡易な構成で外部照明ライト１８１を保護することができるため、設計工数の削減につながるとともに部材共用によるコストの削減にもつながる。
【００２３】
次に、本実施形態に係る外部照明装置１８０の回動範囲調整機構について、図面を参照しながら説明する。図３は、一実施形態に係る林業機械に搭載される外部照明装置１８０の回動規制を説明する図である。また、図４は、図３のＡ部拡大図である。
【００２４】
外部照明装置１８０は、さらに、外部照明ライト１８１の角度変位（向き）を規制することができる回動規制部材を備える。図３及び図４に示すように、回動規制部材は、カバー部材１８３を当接させることによって外部照明ライト１８１の下方の角度変位を規制するストッパ１８７を有する。具体的には、ストッパ１８７は、外部照明装置１８０を下方に回動させたときに、該下方の回動が規制されるように、ブラケット１８５の支持部１８５ａ側面の、前記下方の回動円周内の位置に固定される。本実施形態において、ストッパ１８７は側方部１８３ｃの板厚とほぼ同じ厚さを有する板材であり、外部照明装置１８０が下方に回動し過ぎないように、ストッパ１８７は、回動範囲を規制する方向に屈曲する屈曲部１８７ａを有する。側方部１８３ｃには面取り部１８３ｆが形成されており、外部照明装置１８０を回動させて面取り部１８３ｆを屈曲部１８７ａに当接させることによって、外部照明装置１８０の回動を規制している。面取り部１８３ｆは屈曲部１８７ａに面接触される。これによって、当接による圧力が一点に集中せずに分散されるためカバー部材１８３及びストッパ１８７の耐久性が優れる。
【００２５】
外部照明装置１８０は、以上ように構成されているため、落下物から外部照明ライト１８１を保護することができるともに、カバー部材１８３付きの外部照明ライト１８１を簡易な構成で、一体的に回動させることができる。また、外部照明ライト１８１は、ストッパ１８７により外部照明ライト１８１の回動が規制されるため、外部照明ライト１８１近傍に配線されている電線が折り曲がって電気の流れが遮断されることはない。また、電線が、断線したり焼損することもない。また、落下物の衝撃により外部照明装置１８０の角度が過渡に変位し、外部照明装置１８０が破損し機体から外れる虞をもない。さらに、落下物の衝撃により外部照明装置１８０の照射位置がずれることはあるが、作業者の視界を最低限確保するために必要な照射角度を保持することができる。
【００２６】
また、本実施形態によれば、外部照明ライト１８１と、カバー部材１８３と、ねじ１８４と、ブラケット１８５と、固定ねじ１８６と、ストッパ１８７を組立体（アッセンブリ）として、市販のショベルや林業機械等の建設機械に搭載することができる。具体的には、このアッセンブリを略矩形状のベース板１９０を介して、ガード部材１８２とボルト等によって固定する。アッセンブリは、ベース板１９０に溶接等を行うことによって固定される。そのため、外部照明ライト１８１を保護するためにガード部材１８２を新規設計する必要はなく、設計工数を削減することができ、部材のコストを低減することが可能となる。また、外部照明装置１８０が上記アッセンブリとして構成されるため、既存の建設機械を外部照明ライト搭載対応であって角度調整機構及び回動規制部材を備えた建設機械を容易に製造することができる。
【００２７】
また、本実施形態において、外部照明ライト１８１を電気的に接続するための電線２００は、外部から露出しないように、ベース板１９０の裏側に一括して束ねて配線されている。このように、ベース板１９０を介して外部照明装置１８０を搭載することによって、電線２００に原木、枝等の落下物が引っかかって、電線２００が断線するのを効果的に防止することができる。
【００２８】
さらに、本実施形態においては、キャビンの前方上部に外部照明ライトが搭載されている従来技術と異なり、外部照明装置１８０はガード部材１８２に搭載されている。そのため、照明がガード部材に反射することによって、作業の妨げになることはない。
【００２９】
以上、本発明を実施するための形態について詳述したが、本発明はかかる特定の実施形態に限定されるものではなく、特許請求の範囲に記載された本発明の要旨の範囲内において、種々の変形・変更が可能である。
【００３０】
本実施形態において、ストッパ１８７は、ブラケット１８５に固定されている場合を例示して説明したが、本発明はこの構成に限定されるものではない。例えば、ストッパ１８７は、ガード部材１８２に固定されていてもよく、キャビン１０に固定されていてもよい。
【符号の説明】
【００３１】
１・・・下部走行体  ２・・・旋回機構  ３・・・上部旋回体  ４・・・ブーム  ５・・・アーム  ６・・・ハーベスタリンク  ７・・・ブームシリンダ  ８・・・アームシリンダ  ９・・・ハーベスタリンクシリンダ  １０・・・キャビン  １１・・・エンジン  １００・・・ハーベスタ装置  １８０・・・外部照明装置  １８１・・・外部照明ライト  １８２・・・ガード部材  １８３・・・カバー部材  １８４・・・ねじ  １８５・・・ブラケット  １８６・・・固定ねじ  １８７・・・ストッパ（回動規制部材）  １９０・・・ベース板  ２００・・・電線
【図１】
2015159746.tif 000003
【図２】
2015159746.tif 000004
【図３】
2015159746.tif 000005
【図４】
2015159746.tif 000006